(57)【特許請求の範囲】
【請求項１】
発光面と非発光面とを有し前記発光面が同一平面上に形成された有機エレクトロルミネッセント素子からなる面状発光素子を備えた面状発光型照明器具と、
前記面状発光型照明器具の前記非発光面側を伸縮自在に支持する伸縮部とで構成された、配光方向自在な面状発光型照明システムであって、
前記伸縮部は、それぞれ独立して伸縮可能な少なくとも２本の伸縮脚部で構成され、かつ、前記伸縮脚部のすべてが前記発光面と交差するように構成された、面状発光型照明システム。
【請求項２】
請求項１に記載の面状発光型照明システムであって、
前記伸縮脚部の１本は前記発光面の中心部の前記非発光面側を支持する伸縮脚部であり、前記伸縮脚部の他の２本は前記発光面の中心部を含む一直線の両端部をそれぞれに構成する第１および第２の点に対応する前記非発光面側を支持する伸縮脚部である、面状発光型照明システム。
【請求項３】
請求項１に記載の面状発光型照明システムであって、
前記面状発光型照明器具はその周縁に縁部を有し、
前記伸縮脚部は、その端部において軸受けを介して前記縁部を挟み込んで支持するように構成された、面状発光型照明システム。
【請求項４】
請求項１に記載の面状発光型照明システムであって、
前記伸縮脚部は、それぞれ独立して伸縮可能な４本の伸縮脚部を有し、前記非発光面側である前記面状発光型照明器具の裏面側を支持するように構成された、面状発光型照明システム。
【請求項５】
請求項１に記載の面状発光型照明システムであって、
前記面状発光型照明器具はその周縁に給電軸である縁部を有し、
前記伸縮脚部は、それぞれ伸縮可能な複数の中空伸縮脚部要素を有し、かつ、前記給電軸である縁部をその端部において軸受けを介して支持するように構成され、前記伸縮脚部の内部に給電線が挿通された、面状発光型照明システム。
【発明の詳細な説明】
【技術分野】
【０００１】
本発明は、面状発光型照明システムに係り、特に、発光面の方向を調整可能な面状発光型照明システムに関する。
【背景技術】
【０００２】
近年、面発光型照明装置としては、有機エレクトロルミネッセント（ＥＬ）素子などのエレクトロルミネッセント素子が注目されている。エレクトロルミネッセント素子は、蛍光物質に電圧を印加することで発光するものであり、有機エレクトロルミネッセント素子と無機エレクトロルミネッセント素子に分類することができる。特に、有機エレクトロルミネッセント素子は、平面発光が容易であること、電池など１０Ｖ程度の低電圧で１００〜１０００００ｃｄ／ｍ2程度の高輝度の発光が可能なこと、蛍光物質を構成する材料の組合せで多数の色を発光させることが可能なことから、平面発光体として注目されている。
【０００３】
有機エレクトロルミネッセント素子においても、近年演出照明の高度化への要求を受け、１つの発光装置で多様な照明を行うことが求められるようになってきており、発光面を変位可能にした構成も提案されている。
例えば、照明範囲を低下させることなく天井面をすっきりとさせることのできる面状発光型照明器具として、中心軸の下端側に可動に支持された複数の発光体を中心軸に対して開閉させるように中心軸に沿って移動可能に構成した照明装置が提案されている（特許文献１）。
また、机の天板の下面にエレクトロルミネッセント素子シートを形成し、天板を回動可能に形成した照明装置も提案されている（特許文献２）。
【０００４】
【特許文献１】特開２００７−２２７１９０号公報
【特許文献２】特開２００５−１９３９５号公報
【発明の開示】
【発明が解決しようとする課題】
【０００５】
上記特許文献１の照明装置では、発光体がその非発光面を伸縮自在に支持され、天井にすっきりと収納できるものの、発光面が１点を中心に開閉可能になっており、発光面の方向を変えることを企図した構造ではなく、折り畳み可能な構造であるに過ぎず、器具厚みが大きく小型化が困難であった。また支持部の長さは一定であり、伸縮部を構成するものではない。従って大面積のまま発光面の方向を複数の方向に分割するだけであり、配光方向を変えることで発光面輝度がかわり、輝度が不均一となるという問題があった。また発光体が分割構造となり配光を変えようとすると分割された発光体が互いに別の方向を照射することになり、発光体全体が同じ方向の照明を維持することはできなかった。
また特許文献２の照明装置では、エレクトロルミネッセント素子シートの取り付けられた机のヒンジに相当する位置は固定でありまた照射面の方向も高さも制約があった。
本発明は前記実情に鑑みてなされたもので、取り扱いが容易でかつ、均一な輝度および発光面の大きさを維持しつつ発光方向の調整が容易でかつ、演出照明の高度化の可能な面状発光型照明システムを提供することを目的とする。
また、薄型でかつ、コンパクトに収納することで、既存の設置場所の形状を大きく変更することなく、収納することの可能な面状発光型照明システムを提供することを目的としている。
【課題を解決するための手段】
【０００６】
そこで本発明の面状発光型照明システムは、発光面と非発光面とを有し前記発光面が同一平面上に形成された有機エレクトロルミネッセント素子からなる面状発光素子を備えた面状発光型照明器具と、前記面状発光型照明器具の前記非発光面側を伸縮自在に支持する伸縮部とで構成された、配光方向自在な面状発光型照明システムであって、前記伸縮部は、それぞれ独立して伸縮可能な少なくとも２本の伸縮脚部で構成され、かつ、前記伸縮脚部のすべてが前記発光面と交差するように構成されたことを特徴とする。
この構成により、面状発光型照明器具自体の向きを切り替えることが可能であり、器具厚みを薄く押えて配光方向を自在にすることが可能となる。
また、伸縮部を伸縮動作により面状発光型照明器具の発光面を容易に変位させることができ、発光方向の範囲をより広くすることができる。
また、大面積の面状発光素子を実装して薄型の照明器具を構成したもので、薄型で配光方向を広範囲に調整可能な照明システムを得ることができる。
また、伸縮部を伸縮動作により面状発光型照明器具の発光面を立体的に変位させることができ、発光方向の範囲をより広くすることができる。
【０００７】
また、本発明は、上記面状発光型照明システムにおいて、前記伸縮脚部の１本は前記発光面の中心部の前記非発光面側を支持する伸縮脚部であり、前記伸縮脚部の他の２本は前記発光面の中心部を含む一直線の両端部をそれぞれに構成する第１および第２の点に対応する前記非発光面側を支持する伸縮脚部であることを特徴とする。
この構成により、最低３点の支持部でより効率よく広範囲の配光方向となるように調整可能である。
【０００８】
また、本発明は、上記面状発光型照明システムにおいて、前記面状発光型照明器具はその周縁に周縁部を有し、前記伸縮脚部は、その端部において軸受けを介して前記縁部を挟み込んで支持するように構成されたことを特徴とする。
【０００９】
また、本発明は、上記面状発光型照明システムにおいて、前記伸縮脚部は、それぞれ独立して伸縮可能な４本の伸縮脚部を有し、前記非発光面側である前記面状発光型照明器具の裏面側を支持するように構成されたことを特徴とする。
【００１０】
また、本発明は、上記面状発光型照明システムにおいて、前記面状発光型照明器具はその周縁に給電軸である縁部を有し、前記伸縮脚部は、それぞれ伸縮可能な複数の中空伸縮脚部要素を有し、かつ、前記給電軸である縁部をその端部において軸受けを介して支持するように構成され、前記伸縮脚部の内部に給電線が挿通されたことを特徴とする。
【発明の効果】
【００１１】
以上説明してきたように、上記構成によれば、容易に配光方向を調整することができ、薄型でかつ、コンパクトに収納することのできる面状発光型照明システムを提供することができる。
【発明を実施するための最良の形態】
【００１２】
以下、本発明の実施の形態について詳細に説明する。
（実施の形態１）
本発明の実施の形態１の面状発光型照明システムは、図１および図２にその全体斜視図、図３および図４に断面図を示すように、基板上に形成された面状発光素子１００としての有機エレクトロルミネッセント素子を９枚敷き詰めて構成された面状発光型照明器具と、この面状発光型照明器具の非発光面を２点で伸縮自在に支持する伸縮部としての脚部３００、３０１とで構成され、脚部３００、３０１の伸縮により、面状発光型照明器具１００自体の向きを切り替えることが可能であり、器具厚みを薄く押えて配光方向を自在にすることを可能としたものである。ここで矢印ａは収縮方向を示す。
【００１３】
ここで、図１は、脚部３００、３０１の伸縮状況を変え、斜め下方向を照らすようにしたものである。また図２は、天井に対して平行に支持された状態を示す。
【００１４】
なお、この面状発光素子１００としての有機エレクトロルミネッセント素子は、図５に要部拡大斜視図を示すように、透光性基板１０１としてのポリイミド樹脂基板の第１の面上に、第１の電極１０２が形成されると共に、この上層に有機樹脂層からなる発光機能を有した層１０３、第２の電極１０４が積層され、この第１および第２の電極１０２，１０４の端子（図示せず）を介して通電制御部（図示せず）に接続され、点灯制御がなされる。
【００１５】
この面状発光型照明システムでは面状発光素子としての有機エレクトロルミネッセント素子１００は９枚の小パネル１００ａを並べて形成されている。
なおこの脚部３００、３０１はそれぞれ３つの伸縮可能な中空の脚部要素３００ａ、３００ｂ、３００ｃ、３０１ａ、３０１ｂ、３０１ｃで構成されており、空気またはオイルダンパー構造をもち、任意の位置で停止可能となっている。
図３及び図４から明らかなように、この脚部３００、３０１の一端は天井に設けられた本体２００に本体固定部２０１で固定されており、他端は給電軸１１０と軸受け１１１とを介して、面状発光型照明器具１００の２辺の縁部の中心を裏面側で支持している。
【００１６】
ここで、この本体部２００に点灯回路を含む通電制御部が収納されており、脚部３００、３０１の内部に給電線が挿通されている。
【００１７】
図１および２に斜視図、図３および図４に断面図を示すように、脚部３００、３０１はこの面状発光型照明システムにおける有機エレクトロルミネッセント素子の基板１０１の枠部の縁の部分を相対向する２点で挟みこむようにして支持している。
【００１８】
これにより、給電軸１１０および軸受け１１１を介して、面状発光型照明器具１００の回動が容易となる。
【００１９】
なお、本実施の形態では脚部３００、３０１の２つで有機エレクトロルミネッセント素子からなる照明器具１００を支持したが、さらに中心をもう１点支持することでより支持精度を高めることができる。
【００２０】
（実施の形態２）
前記実施の形態１では２つの脚部で面状発光型照明器具を支持しているが、本実施の形態では、図６および図７にその全体斜視図、図８および図９に断面図を示すように、面状発光型照明器具の非発光面である裏面側の４点を脚部が支持するように構成したものである。また、前記実施の形態１では、面状発光型照明器具の周縁部を２つの脚部で支持したが、本実施の形態では面状発光型照明器具の裏面側すなわち非発光面を４つの脚部で支持したことを特徴とする。本実施の形態においても前記実施の形態１と同様、基板上に形成された面状発光素子１００としての有機エレクトロルミネッセント素子を９枚敷き詰めて構成された面状発光型照明器具と、この面状発光型照明器具の裏面側である非発光面を４点で独立して伸縮自在に支持する伸縮部としての脚部３００とで構成され、脚部３００の伸縮により、面状発光型照明器具１００自体の向きを切り替えることが可能であり、器具厚みを薄く押えて配光方向を自在にすることを可能としたものである。
【００２１】
ここで図６は、脚部３００、３０１、３０２、３０３の伸縮状況を変え、斜め下方向を照らすようにしたものである。また図７は、天井に対して平行に支持された状態を示す。
【００２２】
なお、この面状発光素子１００としての有機エレクトロルミネッセント素子は、図５に要部拡大斜視図を示した前記実施の形態１の有機エレクトロルミネッセント素子と同様、透光性基板１０１としてのポリイミド樹脂基板の第１の面上に、第１の電極１０２が形成されると共に、この上層に有機樹脂層からなる発光機能を有した層１０３、第２の電極１０４が積層され、この第１および第２の電極１０２、１０４の端子（図示せず）を介して通電制御部（図示せず）に接続され、点灯制御がなされる。
【００２３】
この面状発光型照明システムにおいても、面状発光素子としての有機エレクトロルミネッセント素子１００は９枚の小パネル１００ａを並べて形成されている。
なおこの脚部３００、３０１、３０２、３０３はそれぞれ３つの伸縮可能な中空の脚部要素３００ａ、３００ｂ、３００ｃ、３０１ａ、３０１ｂ、３０１ｃ、３０２ａ、３０２ｂ、３０２ｃ、３０３ａ、３０３ｂ、３０３ｃで構成されており、オイルダンパー構造をもち、任意の位置で停止可能となっている。
この脚部３００、３０１、３０２、３０３の一端は天井に設けられた本体２００で固定されており、その他端は面状発光型照明器具１００の裏面側で支持している。
なお、この本体部２００に点灯回路を含む通電制御部が収納されており、脚部３００、３０１、３０２、３０３の内部に給電線が挿通されている。
また、図１および２に示したように、脚部３００、３０１、３０２、３０３は、この面状発光型照明システムにおける有機エレクトロルミネッセント素子の基板１０１の枠部である縁部を２組の相対向する２点で挟みこむようにして支持することもできる。
これにより、給電軸１１０および軸受け１１１を介して、面状発光型照明器具１００の回動が容易となる。
【００２４】
以下、本実施の形態１または２で用いられる有機エレクトロルミネッセント素子の構造について説明する。この有機エレクトロルミネッセント素子１００は、その一例を図５に要部拡大断面図を示したように、透光性基板１０１の裏面に、透明導電膜からなる陽極１０２、発光機能を有する層１０３、陰極１０４を順に積層形成したものである。この透光性基板１０１は、ソーダライムガラスや無アルカリガラスなどの透光性のガラス板や、透光性のプラスチック板などを用いることができる。透光性基板１０１は、光透過性であればよく、無色透明の他、若干着色されているものであっても、すりガラス状のものであってもよい。
【００２５】
また、発光機能を有する層１０３は、いわゆる発光層に加え、陽極１０２の側にホール輸送層、陰極１０４の側に電子注入層を積層した多層膜であり、陽極１０２に正電圧を、陰極１０４に負電圧を印加することで、電子注入層を介して注入された電子と、ホール輸送層を介して注入されたホールとが、発光層内で結合して発光が起こる。このように発光機能を有する層１０３で発光した光は、透明導電膜からなる陽極１０２と透光性基板１０１を透過し、透光性基板１０１の表面側から取り出されるものである。この有機エレクトロルミネッセント素子１００は、電池など１０Ｖ程度の低電圧で高輝度発光が可能である。
【００２６】
また陽極１０２は、発光機能を有する層中にホールを注入するための電極であり、仕事関数の大きい金属、合金、導電性化合物、あるいはこれらの混合物からなる電極材料を用いることが好ましく、仕事関数が４ｅＶ以上のものを用いるのがよい。このような陽極１０２の材料としては、例えば、Ａｕ（金）どの金属、ＣｕＩ（ヨウ化銅）、ＩＴＯ（酸化インジウムスズ：インジウムチンオキサイド）、ＳｎＯ2（酸化スズ）、ＺｎＯ（酸化亜鉛）等の透光性の導電材料が使用可能である。陽極１０２は、例えば、これらの電極材料を、透光性基板１０１の表面に、真空蒸着法やスパッタリング法等の方法により成膜及びパターニングすることによって形成される。また、発光機能を有する層１０３における発光を陽極１０２を透過させて外部に照射するためには、陽極１０２の光透過率を７０％以上にすることが好ましい。さらに、陽極１０２のシート抵抗は数百Ω／□以下とすることが好ましく、特に好ましくは１００Ω／□以下とするものである。ここで、陽極１０２の膜厚は、陽極１０２の光透過率、シート抵抗等の特性を上記のように制御するために、材料により異なるが、５００ｎｍ以下、好ましくは１０〜２００ｎｍの範囲に設定するのが望ましい。
【００２７】
また、陰極１０４は、発光機能を有する層１０３中に電子を注入するための電極であり、仕事関数の小さい金属、合金、導電性化合物及びこれらの混合物からなる電極材料を用いることが好ましく、仕事関数が５ｅＶ以下のものであることが好ましい。このような陰極１０４の電極材料としては、例えば、ナトリウム、ナトリウム−カリウム合金、リチウム、マグネシウム、アルミニウム、マグネシウム−銀混合物、マグネシウム−インジウム混合物、アルミニウム−リチウム合金、Ａｌ／Ａｌ2Ｏ3混合物、Ａｌ／ＬｉＦ混合物などが挙げられる。陰極１０４についても陽極と同様、例えば、これらの電極材料を、真空蒸着法やスパッタリング法等の方法により、成膜後パターニングすることによって得ることができる。また、発光機能を有する層１０３における発光を陽極１０２側に照射するためには、陰極４の光透過率を１０％以下にすることが好ましい。ここで陰極１０４の膜厚は、材料により異なるが陰極１０４の光透過率等の特性を制御するために、通常５００ｎｍ以下、好ましくは１００〜２００ｎｍの範囲とするのがよい。
【００２８】
ここで発光機能を有する層１０３のうち、電子輸送層とホール輸送層とに挟まれた発光層に用いる発光材料またはドーピング材料は、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチルベンゼン誘導体、ジスチルアリーレン誘導体、及び各種蛍光色素等があるが、これに限定されるものではない。
【００２９】
また、上記発光機能を有する層１０３は、上記発光層と陽極１０２との間すなわち陽極側にホール輸送層を積層しており、このホール輸送層を構成する材料としては、ホールを輸送する能力を有し、陽極１０２からのホール注入効果を有するとともに、発光層に対して優れたホール注入効果を有し、また電子のホール輸送層への移動を防止し、かつ薄膜形成能力の優れた化合物を挙げることができる。具体的には、フタロシアニン誘導体、ナフタロシアニン誘導体、ポルフィリン誘導体、Ｎ，Ｎ’−ビス（３−メチルフェニル）−（１，１’−ビフェニル）−４，４’−ジアミン（ＴＰＤ）や４，４’−ビス［Ｎ−（ナフチル）−Ｎ−フェニル−アミノ］ビフェニル（α−ＮＰＤ）等の芳香族ジアミン化合物、オキサゾール、オキサジアゾール、トリアゾール、イミダゾール、イミダゾロン、スチルベン誘導体、ピラゾリン誘導体、テトラヒドロイミダゾール、ポリアリールアルカン、ブタジエン、４，４’，４”−トリス（Ｎ−（３−メチルフェニル）Ｎ−フェニルアミノ）トリフェニルアミン（ｍ−ＭＴＤＡＴＡ）、及びポリビニルカルバゾール、ポリシラン、ポリエチレンジオキサイドチオフェン（ＰＥＤＯＴ）等の導電性高分子等の高分子材料が挙げられる。
【００３０】
また、上記発光機能を有する層１０３は、発光層と陰極１０４との間すなわち陰極１０４の側に電子注入層を積層しており、この電子注入層を構成する材料としては、電子を輸送する能力を有し、陰極１０４からの電子注入効果を有するとともに、発光機能を有する層１０３に対して優れた電子注入効果を有し、さらにホールの電子注入層への移動を防止し、かつ薄膜形成能力の優れた化合物を挙げることができる。具体的には、フルオレン、バソフェナントロリン、バソクプロイン、アントラキノジメタン、ジフェノキノン、オキサゾール、オキサジアゾール、トリアゾール、イミダゾール、アントラキノジメタン等やそれらの化合物、金属錯体化合物もしくは含窒素五員環誘導体である。さらに、ポリマー有機エレクトロルミネッセント素子に使用されるポリマー材料も使用することができる。例えば、ポリパラフェニレン及びその誘導体、フルオレン及びその誘導体等である。電子注入層は、例えば、バソフェナントロリンとＣｓ（セシウム）を、モル比１：１の割合で共蒸着して形成することができる。
以上説明したように本実施の形態は上記有機エレクトロルミネッセント素子を用いることにより、減衰も少なく、高効率でかつ高度な演出照明を実現することができる。
【産業上の利用可能性】
【００３１】
以上説明してきたように、本発明によれば、高度の演出照明を実現可能であることから、家庭用から劇場やショールームなどの照明など、広範囲に適用可能である。
【図面の簡単な説明】
【００３２】
【図１】本発明の実施の形態１の面状発光型照明システムを示す斜視図
【図２】本発明の実施の形態１の面状発光型照明システムを示す斜視図
【図３】本発明の実施の形態１の面状発光型照明システムを示す断面図
【図４】本発明の実施の形態１の面状発光型照明システムを示す断面図
【図５】本発明の実施の形態１の面状発光型照明システムで用いられる有機エレクトロルミネッセント素子の要部断面拡大図
【図６】本発明の実施の形態２の面状発光型照明システムを示す斜視図
【図７】本発明の実施の形態２の面状発光型照明システムを示す斜視図
【図８】本発明の実施の形態２の面状発光型照明システムを示す断面図
【図９】本発明の実施の形態２の面状発光型照明システムを示す断面図
【符号の説明】
【００３３】
１００  面状発光型照明器具（有機エレクトロルミネッセント素子）
１００ａ  小パネル
１１０  給電軸（縁部、枠部）
１１１  軸受け
２００  本体部
２０１  本体固定部
３００、３０１、３０２、３０３  脚部（伸縮脚部）
３００ａ、３００ｂ、３００ｃ、３０１ａ、３０１ｂ、３０１ｃ  脚部要素（伸縮脚部要素）
【図１】
0005207520.tif 000002
【図２】
0005207520.tif 000003
【図３】
0005207520.tif 000004
【図４】
0005207520.tif 000005
【図５】
0005207520.tif 000006
【図６】
0005207520.tif 000007
【図７】
0005207520.tif 000008
【図８】
0005207520.tif 000009
【図９】
0005207520.tif 000010